(57)【要約】【課題】天候に因らず畜舎の敷地境界線上での臭気濃度を低減可能な畜舎排気設備を得ること。【解決手段】畜舎排気設備１は、畜舎２０の外部に配置されて畜舎２０の内部の空気である畜舎内空気を排気するための排気煙突３と、排気煙突３の垂直投影面外に配置された排気ファン５と、排気煙突３と排気ファン５とを連結する排気ダクト４と、を備える。このような構成を有する畜舎排気設備１は、天候に因らず畜舎の敷地境界線上での臭気濃度を低減可能な畜舎排気設備１を得ることが可能となる。【選択図】図１
2019208452.tif 000002
【特許請求の範囲】
【請求項１】
畜舎の外部に配置されて前記畜舎の内部の空気である畜舎内空気を排気するための排気煙突と、
前記排気煙突の垂直投影面外に配置された排気ファンと、
前記排気煙突と前記排気ファンとを連結する排気ダクトと、
を備えることを特徴とする畜舎排気設備。
【請求項２】
前記排気煙突の下部に接続された下方に排水トラップが設置されていること、
を特徴とする請求項１に記載の畜舎排気設備。
【請求項３】
前記排水トラップの封水の封水深さに対応する水柱圧は、前記排気ファンの静圧よりも高いこと、
を特徴とする請求項２に記載の畜舎排気設備。
【請求項４】
前記排水トラップに水を補給する給水装置を有すること、
を特徴とする請求項３に記載の畜舎排気設備。
【請求項５】
前記畜舎内空気を集めて前記排気ファンに送る排気フードを前記排気ファンにおける吸い込み口に有すること、
を特徴とする請求項１から４のいずれか１つに記載の畜舎排気設備。
【発明の詳細な説明】
【技術分野】
【０００１】
本発明は、畜舎内の空気を排気する畜舎排気設備に関する。
【背景技術】
【０００２】
従来、家畜を収容して飼育する畜舎では、家畜の体臭および排出物に起因した臭気物質を含んだ畜舎内の空気を排気する排気設備が用いられている。畜舎内の空気による畜舎周辺における臭気汚染を抑制するためには、畜舎の敷地境界線上での臭気濃度を低減することが必要であり、畜舎内の空気を上方高く排出して大気中の広い範囲に拡散させることが有効である。
【０００３】
特許文献１には、軸流ファンと軸流ファンの後方に位置する後置静翼とが排気煙突内に配置され、軸流ファンから出る排気の渦流を減少させることによって排気吹き流れの高さを高くする畜舎排気装置が開示されている。
【先行技術文献】
【特許文献】
【０００４】
【特許文献１】実用新案登録第３１１９８６０号公報
【発明の概要】
【発明が解決しようとする課題】
【０００５】
しかしながら、上記特許文献１に開示された畜舎排気装置は、上端部が開放された排気煙突内に軸流ファンと静翼とが設置されているため、降雨の際に雨滴が軸流ファンに衝突する。そして、雨滴が軸流ファンに衝突した場合には、軸流ファンの回転が低減されるため、排気煙突から排出される排気空気の放出距離が所望の放出距離に達しない。このため、排気空気は大気中の広い範囲に拡散することができず、地上に降りてきた場合の臭気濃度が低減されない。したがって、特許文献１に開示された畜舎排気装置は、雨天時には晴天時に比べて畜舎の敷地境界線上での臭気濃度を低減できない、という問題があった。
【０００６】
本発明は、上記に鑑みてなされたものであって、天候に因らず畜舎の敷地境界線上での臭気濃度を低減可能な畜舎排気設備を得ることを目的とする。
【課題を解決するための手段】
【０００７】
上述した課題を解決し、目的を達成するために、本発明にかかる畜舎排気設備は、畜舎の外部に配置されて畜舎の内部の空気である畜舎内空気を排気するための排気煙突と、排気煙突の垂直投影面外に配置された排気ファンと、排気煙突と排気ファンとを連結する排気ダクトと、を備える。
【発明の効果】
【０００８】
本発明によれば、天候に因らず畜舎の敷地境界線上での臭気濃度を低減可能な畜舎排気設備が得られる、という効果を奏する。
【図面の簡単な説明】
【０００９】
【図１】本発明の実施の形態１にかかる畜舎排気設備が畜舎に設置された状態を示す模式図
【発明を実施するための形態】
【００１０】
以下に、本発明の実施の形態にかかる畜舎排気設備を図面に基づいて詳細に説明する。なお、この実施の形態によりこの発明が限定されるものではない。
【００１１】
実施の形態１．
図１は、本発明の実施の形態１にかかる畜舎排気設備１が畜舎２０に設置された状態を示す模式図である。図１において、実線の矢印は、畜舎２０内の空気の流れる方向を示している。また、図１において、破線の矢印は、排水トラップ７に溜まった水の排水方向を示している。
【００１２】
本実施の形態１にかかる畜舎排気設備１は、空気が排出される一端部にノズル２が設けられた排気煙突３と、排気煙突３の途中部に接続された排気ダクト４と、排気ダクト４に接続された排気ファン５と、畜舎２０の内部の空気である畜舎内空気を集めて排気ファン５に送る排気フード６と、を備える。また、畜舎排気設備１は、排気煙突３に設けられた排水トラップ７と、排水トラップ７に水を給水する給水装置８と、排水トラップ７内の水位を検出する水位センサー９と、を備える。
【００１３】
排気煙突３は、臭気物質を含む畜舎内空気を排気するための筒状の煙突であり、畜舎２０の外部であって畜舎２０に隣接する領域に配置されている。排気煙突３は、図示しない支持部品により支持されている。排気煙突３は、たとえば長手方向が鉛直方向と平行な状態で配置されている。排気煙突３を流れる畜舎内空気は、上側に位置する一端部からノズル２を通って上方に排出される。
【００１４】
ノズル２は、排気煙突３において畜舎内空気が排出される上側の端部に設けられて、排気煙突３から排出される畜舎内空気を高速化して上方に吹き出す。
【００１５】
排気ダクト４は、排気煙突３の途中部に接続されて排気煙突３と排気ファン５とを連結する。排気ダクト４は、排気煙突３から排気ファン５に向かって斜め上方に傾斜した状態で配置されている。また、排気ダクト４は、接続部から畜舎内空気が漏れないように排気煙突３に接続されている。
【００１６】
排気ファン５は、畜舎内空気を排出する空気流を発生する。排気ファン５は、畜舎２０内における外壁２１に隣接する領域に配置され、側方が排気ダクト４に接続されている。すなわち、排気ファン５は、排気煙突３の垂直投影面外に配置されている。排気ファン５は、図示しない支持部品により支持されている。排気ファン５は、下面側に吸い込み口５ａが設けられ、外壁２１側の側面側に吹き出し口５ｂが設けられている。
【００１７】
排気ファン５には、排気煙突３から放出される畜舎内空気の放出距離を長くするために、高静圧の出力が可能になるよう、シロッコファンまたはターボファンが使用される。シロッコファンまたはターボファンにおいて使用される駆動モーターは、交流（Ａｌｔｅｒｎａｔｉｎｇ  Ｃｕｒｒｅｎｔ：ＡＣ）モーターまたは直流（Ｄｉｒｅｃｔ  Ｃｕｒｒｅｎｔ：ＤＣ）モーターを適宜選択できる。
【００１８】
排気フード６は、臭気物質を含む畜舎内空気を集めて排気ファン５に送るためのフードであり、排気ファン５の吸い込み口５ａの下方に配置されている。
【００１９】
排水トラップ７は、排気煙突３において下側の端部に接続され、排気煙突３内に雨水が滴下し、または給水装置８による給水によって封水１０が溜められる。排水トラップ７内には、常に封水１０が貯留されているように設計されている。すなわち、排水トラップ７の封水１０の封水深さｈに対応する水柱圧Ｈ[ｍｍＡｑ]は、排気ファン５の静圧[ｍｍＡｑ]よりも高く設定されている。これにより、排水トラップ７において排気煙突３に接続されたＵ形状の配管のうち排気煙突側の配管７ａ内の水面が、排気ファン５の静圧に起因して封止深さｈの下方の高さ基点位置である下方基点位置ｈａまで下降することがない。排気煙突側の配管７ａ内の水面が下方基点位置ｈａまで下降した場合には、水面が上下に揺れることによって、排気煙突側の配管７ａ内の畜舎内空気が、排気煙突３に接続されたＵ形状の配管のうち排出側の配管７ｂに流れ込み、畜舎２０の周辺領域に排出される。また、排水トラップ７は、接続部から畜舎内空気が漏れないように排気煙突３に接続されている。
【００２０】
水位センサー９は、給水装置８と通信可能とされており、予め定められた周期で定期的に排水トラップ７内の水位を検出して、検出値を給水装置８に送信する。
【００２１】
給水装置８は、水位センサー９から取得した排水トラップ７内の封水１０の水位の検出値が予め定められた水位以下となった場合に、給水管８ａを介して排水トラップ７内に水を給水する。
【００２２】
つぎに、畜舎排気設備１の動作について説明する。
【００２３】
排気フード６は、畜舎２０内において、畜舎内空気中の臭気物質が特に多い箇所に配置されている。臭気物質が特に多い畜舎内空気を、畜舎２０内で拡散する前に局所排気することによって、より小風量で効果的に臭気物質を排気できる。畜舎内空気中の臭気物質が特に多い箇所とは、たとえば家畜からの排出物を収容する排出物ピット１１である。排出物ピット１１の上部に排気フード６を設置することにより、臭気物質が特に多い畜舎内空気を捕集することができ、畜舎２０内の臭気濃度の低減効果および畜舎内の空気による畜舎２０の敷地境界線上での臭気濃度を低減して畜舎２０に隣接する周辺領域における臭気汚染の抑制効果を高めることができる。畜舎内空気中の臭気物質が特に多い箇所が畜舎２０内における外壁２１に隣接する領域から離れている場合には、排気ダクト４の長さを長くすることで排気煙突３と排気ファン５とを問題なく連結できる。
【００２４】
排気ファン５が発生させる空気流に乗って排気フード６から吸い込まれた畜舎内空気は、吸い込み口５ａから排気ファン５に吸い込まれ、高圧化されて吹き出し口５ｂから排気ダクト４に吹き出される。排気ダクト４に吹き出された畜舎内空気は、排気煙突３に吹き出された後、ノズル２で動圧に変換されて高速空気流となり、ノズル２から上方に吹き出されて大気中に拡散する。
【００２５】
高速空気流として吹き出された畜舎内空気は、畜舎２０の敷地境界線上での臭気汚染の抑制により畜舎２０に隣接する周辺領域における臭気汚染を防止できるように予め設定された放出高さまで予め定められた放出距離を流れる。大気において予め設定された放出高さまで流れた畜舎内空気は、大気中に球状に拡散して大気で希釈されるため、畜舎内空気が地上まで降りてきた場合でも、畜舎２０の敷地境界線上での臭気濃度を低減することができ、畜舎内空気による畜舎２０の周辺における臭気汚染を抑制することができる。
【００２６】
また、畜舎排気設備１においては、畜舎内空気を大気中において上方に高く吹き出すことができるように、ノズル２は鉛直上向きを向いて開口している。このため、降雨の際には、ノズル２から排気煙突３の内部に雨滴が浸入する。
【００２７】
しかしながら、畜舎排気設備１においては、排気ファン５は、排気煙突３の垂直投影面外の領域に配置されている。すなわち、排気ファン５は、水平面において排気煙突３とは異なる領域に配置されている。さらに、排気煙突３と排気ファン５とを連結する排気ダクト４は、排気煙突３から排気ファン５に向かって斜め上方に傾斜した形状とされている。これにより、畜舎排気設備１では、排気煙突３の内部に浸入した雨滴が排気ファン５に衝突することがなく、また、雨滴が排気ファン５のファンモータ等の駆動部に浸入することがない。これにより、排気煙突３の内部に浸入した雨滴により排気ファン５の回転が低下することが無く、降雨時においても予め設定された放出高さまで確実に畜舎内空気を高速空気流として大気中の上方に高く放出することができる。
【００２８】
降雨の際にノズル２から浸入した雨水は排気煙突３の下方に接続された排水トラップ７に貯留され、封水深さｈまで封水１０が溜まった状態でさらに雨水が浸入すると、排水トラップ７の封水深さｈ以上に浸入した雨水は排水トラップ７から排水される。このように排水トラップ７には常時、一定量の水が貯留される。
【００２９】
排水トラップ７の封水１０の封水深さｈに対応する水柱圧Ｈ[ｍｍＡｑ]は、排気ファン５の静圧[ｍｍＡｑ]よりも高く設定されているため、排気ファン５の圧力でトラップが破水することはない。また、畜舎排気設備１においては、排水トラップ７内の水位が水位センサー９によって常に検出されている。そして、給水装置８は、水位センサー９の検出結果に基づいて、排水トラップ７内の封水１０の水位が予め定められた水位以下である場合に給水管８ａを介して排水トラップ７内に封水１０を給水する。これにより、排水トラップ７の封水１０は、予め定められた規定量が常に貯留されるように制御されており、長期間にわたって降雨が無い場合でも排水トラップ７内の封水１０が蒸発して無くなることがない。これにより、畜舎排気設備１においては、排水トラップ７内の封水１０が蒸発して無くなることにより畜舎内空気が排水トラップ７の配管内を通って畜舎２０の外部に放出されることが防止されている。
【００３０】
このように排水トラップ７による封止効果により、臭気物質を含んだ畜舎内空気は排気煙突３の上部のみから放出されるとともに、ノズル２から浸入する雨水は排水トラップ７から越水して排水処理される。また、畜舎排気設備１においては、上記の効果を簡単な構成で実現している。
【００３１】
なお、上記においては排気ファン５が畜舎２０内に配置されている場合について説明したが、排気ファン５は畜舎２０の外部に配置することも可能である。この場合は、排気フード６を畜舎２０の外部まで引き出して、接続部から畜舎内空気が漏れないように排気ファン５に接続すればよい。
【００３２】
上述したように、本実施の形態１にかかる畜舎排気設備１は、天候に因らず、簡易な構成で畜舎２０の敷地境界線上での臭気濃度を低減することができ、畜舎内空気による畜舎２０の周辺における臭気汚染を抑制することができる、という効果を奏する。
【００３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３４】
１  畜舎排気設備、２  ノズル、３  排気煙突、４  排気ダクト、５  排気ファン、５ａ  吸い込み口、５ｂ  吹き出し口、６  排気フード、７  排水トラップ、７ａ  排気煙突側の配管、７ｂ  排出側の配管、８  給水装置、８ａ  給水管、９  水位センサー、１０  封水、１１  排出物ピット、２０  畜舎、２１  外壁。
【図１】
2019208452.tif 000003